(57)【要約】  ワイヤレス通信のための方法、システム、およびデバイスが説明される。ワイヤレス通信システムが、送信より前にリッスンビフォアトーク（ＬＢＴ）プロシージャを利用し得る。基地局が、１つのチャネルに対して拡張された空きチャネル判定（ｅＣＣＡ）および別のチャネルに対して単一の空きチャネル判定（ＣＣＡ）を実行し得る。その後、基地局は、ユーザ機器（ＵＥ）が両方のチャネル上で送信するためのグラントを送り得る。ＵＥは、グラントを受信し、第１のチャネルに対して単一のＣＣＡおよび第２のチャネルに対してｅＣＣＡを実行し得る。その後、ＵＥは、第１のチャネルと第２のチャネルの両方の上でアップリンク情報を送信し得る。すなわち、基地局は、たとえそれが基地局においてｅＣＣＡにパスしていなかったとしても、第２のチャネル上で送信するための日和見的なグラントを送り得る。その後、ＵＥは、そのチャネルを、それがｅＣＣＡにパスした場合に使用し得る。
2018535586.tif 000002
【特許請求の範囲】
【請求項１】
ワイヤレス通信の方法であって、
第１のチャネル上でスケジューリングメッセージを受信することと、前記スケジューリングメッセージは、前記第１のチャネルおよび第２のチャネルを識別し、
前記第１のチャネル上で前記スケジューリングメッセージを受信することに少なくとも部分的に基づいて、前記第１のチャネルに対して第１のチャネルクリアランスプロシージャを実行することと、および
前記スケジューリングメッセージが前記第２のチャネル上で受信されていないと決定することに少なくとも部分的に基づいて、前記第２のチャネルに対して第２のチャネルクリアランスプロシージャを実行することと
を備える方法。
【請求項２】
前記第１のチャネルクリアランスプロシージャを実行することは、単一の空きチャネル判定（ＣＣＡ）チェックを実行することと、および  前記単一のＣＣＡチェックが不成功であった場合、拡張されたＣＣＡ（ｅＣＣＡ）チェックを実行することとを備える、請求項１に記載の方法。
【請求項３】
前記単一のＣＣＡチェックを実行することは、単一のＣＣＡに少なくとも部分的に基づいて、前記第１のチャネルが空いているかどうかを決定することを備える、請求項２に記載の方法。
【請求項４】
前記第１のチャネルクリアランスプロシージャに少なくとも部分的に基づいて、前記第１のチャネル上でアップリンク（ＵＬ）データを送信すること
をさらに備える、請求項２に記載の方法。
【請求項５】
前記第２のチャネルクリアランスプロシージャを実行することは、ｅＣＣＡチェックを実行することを備える、請求項１に記載の方法。
【請求項６】
前記第２のチャネルクリアランスプロシージャを実行することは、単一のＣＣＡチェックでは、前記第２のチャネルへのアクセスを得るのに十分ではないと決定することを備える、請求項５に記載の方法。
【請求項７】
前記第２のチャネルクリアランスプロシージャに少なくとも部分的に基づいて、前記第２のチャネル上でＵＬデータを送信すること、ここにおいて、前記送信されたＵＬデータは、前記第１のチャネル、前記第２のチャネル、または両方が使用されているかどうかのインジケーション(indication)を備える、
をさらに備える、請求項５に記載の方法。
【請求項８】
前記スケジューリングメッセージは、前記第１のチャネルについての第１のＵＬグラントおよび前記第２のチャネルについての第２のＵＬグラントを備える、請求項１に記載の方法。
【請求項９】
前記第１のＵＬグラントの第１の変調およびコーディングスキーム（ＭＣＳ）は、前記第２のＵＬグラントの第２のＭＣＳとは異なる、請求項８に記載の方法。
【請求項１０】
ワイヤレス通信の方法であって、
第１のチャネルに対する第１のｅＣＣＡチェックが成功でありかつ第２のチャネルに対する第２のｅＣＣＡチェックが不成功であることを決定することと、および
前記決定に少なくとも部分的に基づいて、前記第１のチャネル上でスケジューリングメッセージを送信することと、前記スケジューリングメッセージは、前記第１のチャネルおよび前記第２のチャネルを識別する、
を備える方法。
【請求項１１】
前記第２のｅＣＣＡチェックに少なくとも部分的に基づいて、前記第２のチャネル上で前記スケジューリングメッセージを送信することを控えること
をさらに備える、請求項１０に記載の方法。
【請求項１２】
ＵＬデータが前記第１のチャネルまたは前記第２のチャネルまたは両方の上で送信されているかどうかを識別することと、および
前記スケジューリングメッセージに少なくとも部分的に基づいて、前記第１のチャネルまたは前記第２のチャネル上で前記ＵＬデータを受信することと
をさらに備える、請求項１０に記載の方法。
【請求項１３】
前記スケジューリングメッセージは、前記第１のチャネルについての第１のＵＬグラントおよび前記第２のチャネルについての第２のＵＬグラントを備える、請求項１０に記載の方法。
【請求項１４】
前記第１のＵＬグラントの第１のＭＣＳは、前記第２のＵＬグラントの第２のＭＣＳとは異なる、請求項１３に記載の方法。
【請求項１５】
ワイヤレス通信のための装置であって、
第１のチャネル上でスケジューリングメッセージを受信するための手段と、前記スケジューリングメッセージは、前記第１のチャネルおよび第２のチャネルを識別し、
前記第１のチャネル上で前記スケジューリングメッセージを受信することに少なくとも部分的に基づいて、前記第１のチャネルに対して第１のチャネルクリアランスプロシージャを実行するための手段と、および
前記スケジューリングメッセージが前記第２のチャネル上で受信されていないと決定することに少なくとも部分的に基づいて、前記第２のチャネルに対して第２のチャネルクリアランスプロシージャを実行するための手段と
を備える装置。
【請求項１６】
前記第１のチャネルクリアランスプロシージャを実行するための前記手段は、単一の空きチャネル判定（ＣＣＡ）チェックを実行することと、および  前記単一のＣＣＡチェックが不成功であった場合、拡張されたＣＣＡ（ｅＣＣＡ）チェックを実行することとのための手段を備える、請求項１５に記載の装置。
【請求項１７】
前記単一のＣＣＡチェックを実行するための前記手段は、単一のＣＣＡに少なくとも部分的に基づいて、前記第１のチャネルが空いているかどうかを決定するための手段を備える、請求項１６に記載の装置。
【請求項１８】
前記第１のチャネルクリアランスプロシージャに少なくとも部分的に基づいて、前記第１のチャネル上でアップリンク（ＵＬ）データを送信するための手段
をさらに備える、請求項１６に記載の装置。
【請求項１９】
前記第２のチャネルクリアランスプロシージャを実行するための前記手段は、ｅＣＣＡチェックを実行するための手段を備える、請求項１５に記載の装置。
【請求項２０】
前記第２のチャネルクリアランスプロシージャを実行するための前記手段は、単一のＣＣＡチェックでは、前記第２のチャネルへのアクセスを得るのに十分ではないと決定するための手段を備える、請求項１９に記載の装置。
【請求項２１】
前記第２のチャネルクリアランスプロシージャに少なくとも部分的に基づいて、前記第２のチャネル上でＵＬデータを送信するための手段、ここにおいて、前記送信されたＵＬデータは、前記第１のチャネル、前記第２のチャネル、または両方が使用されているかどうかのインジケーションを備える、
をさらに備える、請求項１９に記載の装置。
【請求項２２】
前記スケジューリングメッセージは、前記第１のチャネルについての第１のＵＬグラントおよび前記第２のチャネルについての第２のＵＬグラントを備える、請求項１５に記載の装置。
【請求項２３】
前記第１のＵＬグラントの第１の変調およびコーディングスキーム（ＭＣＳ）は、前記第２のＵＬグラントの第２のＭＣＳとは異なる、請求項２２に記載の装置。
【請求項２４】
ワイヤレス通信のための装置であって、
第１のチャネルに対する第１のｅＣＣＡチェックが成功でありかつ第２のチャネルに対する第２のｅＣＣＡチェックが不成功であることを決定するための手段と、および
前記決定に少なくとも部分的に基づいて、前記第１のチャネル上でスケジューリングメッセージを送信するための手段と、前記スケジューリングメッセージは、前記第１のチャネルおよび前記第２のチャネルを識別する、
を備える装置。
【請求項２５】
前記第２のｅＣＣＡチェックに少なくとも部分的に基づいて、前記第２のチャネル上で前記スケジューリングメッセージを送信することを控えるための手段
をさらに備える、請求項２４に記載の装置。
【請求項２６】
ＵＬデータが前記第１のチャネルまたは前記第２のチャネルまたは両方の上で送信されているかどうかを識別するための手段と、
前記スケジューリングメッセージに少なくとも部分的に基づいて、前記第１のチャネルまたは前記第２のチャネル上で前記ＵＬデータを受信するための手段と
をさらに備える、請求項２４に記載の装置。
【請求項２７】
前記スケジューリングメッセージは、前記第１のチャネルについての第１のＵＬグラントおよび前記第２のチャネルについての第２のＵＬグラントを備える、請求項２４に記載の装置。
【請求項２８】
前記第１のＵＬグラントの第１のＭＣＳは、前記第２のＵＬグラントの第２のＭＣＳとは異なる、請求項２７に記載の装置。
【発明の詳細な説明】
【相互参照】
【０００１】
[0001]本特許出願は、２０１６年７月２０日に出願された「ＥＣＣのための日和見的な拡張されたチャネルアップリンクグラント（Opportunistic Extended Channel Uplink Grants for ECC）」と題する、Ｓｕｎ他による米国特許出願第１５／２１５，４２２号、および２０１５年９月３０日に出願された「ＥＣＣのための日和見的な拡張されたチャネルアップリンクグラント」と題する、Ｓｕｎ他による米国仮特許出願第６２／２３５，３５０号の優先権を主張し、これらの各々は、本譲受人に譲渡されている。
【背景技術】
【０００２】
[0002]以下は、一般にワイヤレス通信に関し、より具体的には、ＥＣＣのための日和見的な拡張されたチャネルアップリンクグラントに関する。
【０００３】
[0003]ワイヤレス通信システムは、音声、ビデオ、パケットデータ、メッセージング、ブロードキャスト、等のような様々なタイプの通信コンテンツを提供するために広く展開されている。これらのシステムは、利用可能なシステムリソース（例えば、時間、周波数、および電力）を共有することによって、複数のユーザとの通信をサポートすることが可能であり得る。このような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムを含む。ワイヤレス多元接続通信システムは、いくつかの基地局を含み得、各々が、複数の通信デバイスのための通信を同時にサポートし、それは、別名ユーザ機器（ＵＥ）として知られ得る。
【０００４】
[0004]コンテンション(contention)ベースのワイヤレス通信システムでは、リッスンビフォアトーク（ＬＢＴ：listen before talk）プロシージャが、送信より前に実行され得る。例えば、デバイスが、しきい値エネルギーレベルを検出することによって、チャネルに対して１つまたは複数の空きチャネル判定（ＣＣＡ：clear channel assessments）を実行し得る。いくつかのケースでは、送信機が、複数のＣＣＡ測定を含む拡張されたＣＣＡ（ｅＣＣＡ）を実行し得る。いくつかのネットワークでは、基地局が、ユーザ機器（ＵＥ）によるアップリンク送信についてのチャネルの可用性を決定するために、ｅＣＣＡを実行し得る。すなわち、基地局は、各チャネルに対してｅＣＣＡを試み、利用可能であるそれらのチャネルについてのグラントを送り得る。しかしながら、このプロセスは、ｅＣＣＡが基地局においてフェイル（fails）したため、ＵＥがアップリンクデータを送信することができないという事態をもたらし得る。これは、チャネルの有効な帯域幅を低減させるかまたは送信を遅延させ得る。
【発明の概要】
【０００５】
[0005]ワイヤレス通信システムが、送信より前にリッスンビフォアトーク（ＬＢＴ）プロシージャを利用し得る。基地局が、１つのチャネルに対して拡張された空きチャネル判定（ｅＣＣＡ）および別のチャネルに対して単一の空きチャネル判定（ＣＣＡ）を実行し得る。その後、基地局は、ユーザ機器（ＵＥ）が両方のチャネル上で送信するためのグラントを送り得る。ＵＥは、グラントを受信し、第１のチャネルに対して単一のＣＣＡおよび第２のチャネルに対してｅＣＣＡを実行し得る。その後、ＵＥは、第１のチャネルと第２のチャネルの両方の上でアップリンク情報を送信し得る。すなわち、基地局は、たとえそれが基地局においてｅＣＣＡにパスしていなかったとしても（may not have passed）、第２のチャネル上で送信するための日和見的なグラントを送り得る。その後、ＵＥは、そのチャネルを、それがｅＣＣＡにパスした場合に使用し得る。
【０００６】
[0006]ワイヤレス通信の方法が説明される。方法は、第１のチャネル上でスケジューリングメッセージを受信することと、スケジューリングメッセージは、第１のチャネルおよび第２のチャネルを識別し、第１のチャネル上でスケジューリングメッセージを受信することに少なくとも部分的に基づいて、第１のチャネルに対して第１のチャネルクリアランスプロシージャ（channel clearance procedure）を実行することと、スケジューリングメッセージが第２のチャネル上で受信されていないと決定することに少なくとも部分的に基づいて、第２のチャネルに対して第２のチャネルクリアランスプロシージャを実行することとを含み得る。
【０００７】
[0007]ワイヤレス通信のための装置が説明される。装置は、第１のチャネル上でスケジューリングメッセージを受信するための手段と、スケジューリングメッセージは、第１のチャネルおよび第２のチャネルを識別し、第１のチャネル上でスケジューリングメッセージを受信することに少なくとも部分的に基づいて、第１のチャネルに対して第１のチャネルクリアランスプロシージャを実行するための手段と、スケジューリングメッセージが第２のチャネル上で受信されていないと決定することに少なくとも部分的に基づいて、第２のチャネルに対して第２のチャネルクリアランスプロシージャを実行するための手段とを含み得る。
【０００８】
[0008]さらなる装置が説明される。装置は、プロセッサと、プロセッサと電子通信状態にあるメモリと、メモリに記憶された命令とを含み得る。命令は、プロセッサに、第１のチャネル上でスケジューリングメッセージを受信することと、スケジューリングメッセージは、第１のチャネルおよび第２のチャネルを識別し、第１のチャネル上でスケジューリングメッセージを受信することに少なくとも部分的に基づいて、第１のチャネルに対して第１のチャネルクリアランスプロシージャを実行することと、スケジューリングメッセージが第２のチャネル上で受信されていないと決定することに少なくとも部分的に基づいて、第２のチャネルに対して第２のチャネルクリアランスプロシージャを実行することとを行わせるように動作可能であり得る。
【０００９】
[0009]ワイヤレス通信のための非一時的なコンピュータ可読媒体が説明される。非一時的なコンピュータ可読媒体は、プロセッサに、第１のチャネル上でスケジューリングメッセージを受信することと、スケジューリングメッセージは、第１のチャネルおよび第２のチャネルを識別し、第１のチャネル上でスケジューリングメッセージを受信することに基づいて、第１のチャネルに対して第１のチャネルクリアランスプロシージャを実行することと、スケジューリングメッセージが第２のチャネル上で受信されていないと決定することに基づいて、第２のチャネルに対して第２のチャネルクリアランスプロシージャを実行することとを行わせる命令を含み得る。
【００１０】
[0010]上記で説明された方法、装置、または非一時的なコンピュータ可読媒体のいくつかの例では、第１のチャネルクリアランスプロシージャを実行することは、単一の空きチャネル判定（ＣＣＡ）チェックを実行することと、単一のＣＣＡチェックが不成功であった場合、拡張されたＣＣＡ（ｅＣＣＡ）チェックを実行することとを備える。
【００１１】
[0011]上記で説明された方法、装置、または非一時的なコンピュータ可読媒体のいくつかの例では、単一のＣＣＡチェックを実行することは、単一のＣＣＡに基づいて、第１のチャネルが空いているかどうかを決定することを備える。
【００１２】
[0012]上記で説明された方法、装置、または非一時的なコンピュータ可読媒体のいくつかの例は、第１のチャネルクリアランスプロシージャに基づいて、第１のチャネル上でアップリンク（ＵＬ）データを送信するためのプロセス、特徴（features）、手段、または命令をさらに含み得る。
【００１３】
[0013]上記で説明された方法、装置、または非一時的なコンピュータ可読媒体のいくつかの例では、第２のチャネルクリアランスプロシージャを実行することは、ｅＣＣＡチェックを実行することを備える。上記で説明された方法、装置、または非一時的なコンピュータ可読媒体のいくつかの例では、第２のチャネルクリアランスプロシージャを実行することは、単一のＣＣＡチェックでは、第２のチャネルへのアクセスを得るのに十分ではないと決定することを備える。
【００１４】
[0014]上記で説明された方法、装置、または非一時的なコンピュータ可読媒体のいくつかの例は、第２のチャネルクリアランスプロシージャに基づいて、第２のチャネル上でＵＬデータを送信するためのプロセス、特徴、手段、または命令をさらに含み得、ここで、送信されたＵＬデータは、第１のチャネル、第２のチャネル、または両方が使用されているかどうかのインジケーションを備える。
【００１５】
[0015]上記で説明された方法、装置、または非一時的なコンピュータ可読媒体のいくつかの例では、スケジューリングメッセージは、第１のチャネルについての第１のＵＬグラントおよび第２のチャネルについての第２のＵＬグラントを備える。上記で説明された方法、装置、または非一時的なコンピュータ可読媒体のいくつかの例では、第１のＵＬグラントの第１の変調およびコーディングスキーム（ＭＣＳ）は、第２のＵＬグラントの第２のＭＣＳとは異なる。
【００１６】
[0016]ワイヤレス通信の方法が説明される。方法は、第１のチャネルに対する第１のｅＣＣＡチェックが成功でありかつ第２のチャネルに対する第２のｅＣＣＡチェックが不成功であることを決定することと、この決定に基づいて、第１のチャネル上でスケジューリングメッセージを送信することとを含み得、スケジューリングメッセージは、第１のチャネルおよび第２のチャネルを識別する。
【００１７】
[0017]ワイヤレス通信のための装置が説明される。装置は、第１のチャネルに対する第１のｅＣＣＡチェックが成功でありかつ第２のチャネルに対する第２のｅＣＣＡチェックが不成功であることを決定するための手段と、この決定に基づいて、第１のチャネル上でスケジューリングメッセージを送信するための手段とを含み得、スケジューリングメッセージは、第１のチャネルおよび第２のチャネルを識別する。
【００１８】
[0018]さらなる装置が説明される。装置は、プロセッサと、プロセッサと電子通信状態にあるメモリと、メモリに記憶された命令とを含み得る。命令は、プロセッサに、第１のチャネルに対する第１のｅＣＣＡチェックが成功でありかつ第２のチャネルに対する第２のｅＣＣＡチェックが不成功であることを決定することと、この決定に基づいて、第１のチャネル上でスケジューリングメッセージを送信することとを行わせるように動作可能であり得、スケジューリングメッセージは、第１のチャネルおよび第２のチャネルを識別する。
【００１９】
[0019]ワイヤレス通信のための非一時的なコンピュータ可読媒体が説明される。非一時的なコンピュータ可読媒体は、プロセッサに、第１のチャネルに対する第１のｅＣＣＡチェックが成功でありかつ第２のチャネルに対する第２のｅＣＣＡチェックが不成功であることを決定することと、この決定に基づいて、第１のチャネル上でスケジューリングメッセージを送信することとを行わせる命令を含み得、スケジューリングメッセージは、第１のチャネルおよび第２のチャネルを識別する。
【００２０】
[0020]上記で説明された方法、装置、または非一時的なコンピュータ可読媒体のいくつかの例は、第２のｅＣＣＡチェックに基づいて、第２のチャネル上でスケジューリングメッセージを送信するのを控えるためのプロセス、特徴、手段、または命令をさらに含み得る。
【００２１】
[0021]上記で説明された方法、装置、または非一時的なコンピュータ可読媒体のいくつかの例は、ＵＬデータが第１のチャネルまたは第２のチャネルまたは両方の上で送信されているかどうかを識別するためのプロセス、特徴、手段、または命令をさらに含み得る。上記で説明された方法、装置、または非一時的なコンピュータ可読媒体のいくつかの例は、スケジューリングメッセージに基づいて、第１のチャネルまたは第２のチャネル上でＵＬデータを受信するためのプロセス、特徴、手段、または命令をさらに含み得る。
【００２２】
[0022]上記で説明された方法、装置、または非一時的なコンピュータ可読媒体のいくつかの例では、スケジューリングメッセージは、第１のチャネルについての第１のＵＬグラントおよび第２のチャネルについての第２のＵＬグラントを備える。上記で説明された方法、装置、または非一時的なコンピュータ可読媒体のいくつかの例では、第１のＵＬグラントの第１のＭＣＳは、第２のＵＬグラントの第２のＭＣＳとは異なる。
【図面の簡単な説明】
【００２３】
【図１】[0023]図１は、本開示の態様による、ＥＣＣのための日和見的な拡張されたチャネルアップリンクグラントをサポートするワイヤレス通信システムの例を例示する。
【図２】[0024]図２は、本開示の態様による、ＥＣＣのための日和見的な拡張されたチャネルアップリンクグラントをサポートするワイヤレス通信システムの例を例示する。
【図３Ａ】[0025]図３Ａは、本開示の態様による、ＥＣＣのための日和見的な拡張されたチャネルアップリンクグラントをサポートするグラント構成（grant configurations）の例を例示する。
【図３Ｂ】[0025]図３Ｂは、本開示の態様による、ＥＣＣのための日和見的な拡張されたチャネルアップリンクグラントをサポートするグラント構成の例を例示する。
【図３Ｃ】[0025]図３Ｃは、本開示の態様による、ＥＣＣのための日和見的な拡張されたチャネルアップリンクグラントをサポートするグラント構成の例を例示する。
【図４】[0026]図４は、本開示の態様による、ＥＣＣのための日和見的な拡張されたチャネルアップリンクグラントをサポートするシステムにおけるプロセスフローの例を例示する。
【図５】[0027]図５は、本開示の態様による、ＥＣＣのための日和見的な拡張されたチャネルアップリンクグラントをサポートするワイヤレスデバイスのブロック図を示す。
【図６】[0027]図６は、本開示の態様による、ＥＣＣのための日和見的な拡張されたチャネルアップリンクグラントをサポートするワイヤレスデバイスのブロック図を示す。
【図７】[0027]図７は、本開示の態様による、ＥＣＣのための日和見的な拡張されたチャネルアップリンクグラントをサポートするワイヤレスデバイスのブロック図を示す。
【図８】[0028]図８は、本開示の態様による、ＥＣＣのための日和見的な拡張されたチャネルアップリンクグラントをサポートするＵＥを含むシステムのブロック図を例示する。
【図９】[0029]図９は、本開示の態様による、ＥＣＣのための日和見的な拡張されたチャネルアップリンクグラントをサポートするワイヤレスデバイスのブロック図を示す。
【図１０】[0029]図１０は、本開示の態様による、ＥＣＣのための日和見的な拡張されたチャネルアップリンクグラントをサポートするワイヤレスデバイスのブロック図を示す。
【図１１】[0029]図１１は、本開示の態様による、ＥＣＣのための日和見的な拡張されたチャネルアップリンクグラントをサポートするワイヤレスデバイスのブロック図を示す。
【図１２】[0030]図１２は、本開示の態様による、ＥＣＣのための日和見的な拡張されたチャネルアップリンクグラントをサポートする基地局を含むシステムのブロック図を例示する。
【図１３】[0031]図１３は、本開示の態様による、ＥＣＣのための日和見的な拡張されたチャネルアップリンクグラントのための方法を例示する。
【図１４】[0031]図１４は、本開示の態様による、ＥＣＣのための日和見的な拡張されたチャネルアップリンクグラントのための方法を例示する。
【図１５】[0031]図１５は、本開示の態様による、ＥＣＣのための日和見的な拡張されたチャネルアップリンクグラントのための方法を例示する。
【図１６】[0031]図１６は、本開示の態様による、ＥＣＣのための日和見的な拡張されたチャネルアップリンクグラントのための方法を例示する。
【図１７】[0031]図１７は、本開示の態様による、ＥＣＣのための日和見的な拡張されたチャネルアップリンクグラントのための方法を例示する。
【発明の詳細な説明】
【００２４】
[0032]コンテンションベースのワイヤレスシステムでは、リッスン−ビフォア−トーク（ＬＢＴ）プロシージャが、送信より前に実行され得る。例えば、デバイスが、しきい値エネルギーレベルを検出することによって、チャネルに対して空きチャネル判定（ＣＣＡ）を実行し得る。いくつかのケースでは、送信機が、複数のＣＣＡ測定を含む拡張されたＣＣＡ（ｅＣＣＡ）を実行し得る。いくつかのネットワークでは、基地局が、ユーザ機器（ＵＥ）によるアップリンク送信についてのチャネルの可用性を決定するために、ｅＣＣＡを実行し得る。
【００２５】
[0033]いくつかのケースでは、基地局は、ｅＣＣＡがあるチャネルについてはフェイルしたと決定し得るが、このチャネルは、ＵＥの観点からは利用可能であり得る。したがって、マルチチャネル動作では、キャリアについてのＬＢＴ状態（LBT state）が、日和見的な拡張されたチャネルグラントが使用されるべきかどうかを決定するために使用され得る。すなわち、基地局は、たとえｅＣＣＡがパスしなかったとしても、１つまたは複数のＣＣＡがパスした場合、日和見的なグラントを送り得、一方、グラント自体は、ｅＣＣＡにパスしたチャネル上で送信される。ＵＥがＵＬグラントを受信すると、それは、グラントメッセージを送信するために使用されたチャネルに対して単一のＣＣＡを実行し得、グラント中に含まれるが、グラントメッセージの送信のために使用されなかったチャネルに対して完全なｅＣＣＡ（full eCCA）を実行し得る。
【００２６】
[0034]いくつかのケースでは、２つの異なるＵＬグラントが、同じＵＥのためのＤＬバースト中で送信され得る。第１のＵＬグラントは、基地局側でｅＣＣＡにパスしたチャネルをカバーし得、第２のＵＬグラントは、日和見的なチャネル（例えば、基地局側でＣＣＡにパスしたが、ｅＣＣＡにパスしていないチャネル）をカバーし得る。これらグラントは、２つのセットのチャネルの異なる信頼性を反映し得、異なる変調およびコーディングスキーム（ＭＣＳ）を使用し得る。
【００２７】
[0035]本開示の態様は、ワイヤレス通信システムのコンテキストにおいて、最初に説明される。アップリンクグラントおよび関連付けられたアップリンク送信の異なる例を表す、いくつかのグラント構成が説明される。本開示の態様はさらに、ＥＣＣのための日和見的な拡張されたチャネルアップリンクグラントに関連する装置図、システム図、およびフローチャートによって例示され、またそれらを参照して説明される。
【００２８】
[0036]図１は、本開示の様々な態様によるワイヤレス通信システム１００の例を例示する。ワイヤレス通信システム１００は、基地局１０５、ＵＥ１１５、およびコアネットワーク１３０を含む。いくつかの例では、ワイヤレス通信システム１００は、ロングタームエボリューション（ＬＴＥ（登録商標））／ＬＴＥ−アドバンスト（ＬＴＥ−Ａ）ネットワークであり得る。ワイヤレス通信システム１００は、変更された（modified）ＬＢＴプロシージャに基づいて、ＥＣＣのための日和見的な拡張されたチャネルＵＬグラントをサポートし得る。
【００２９】
[0037]基地局１０５は、１つまたは複数の基地局アンテナを介してＵＥ１１５とワイヤレスに通信し得る。各基地局１０５は、それぞれの地理的なカバレッジエリア１１０に対して通信カバレッジを提供し得る。ワイヤレス通信システム１００において示される通信リンク１２５は、ＵＥ１１５から基地局１０５へのＵＬ送信、または基地局１０５からＵＥ１１５へのダウンリンク（ＤＬ）送信を含み得る。ＵＥ１１５は、ワイヤレス通信システム１００全体にわたって分散され得、各ＵＥ１１５は、固定またはモバイルであり得る。ＵＥ１１５はまた、モバイル局、加入者局、遠隔ユニット、ワイヤレスデバイス、アクセス端末（ＡＴ）、ハンドセット、ユーザエージェント、クライアント、または同様の専門用語で呼ばれ得る。ＵＥ１１５はまた、セルラ電話、ワイヤレスモデム、ハンドヘルドデバイス、パーソナルコンピュータ、タブレット、パーソナル電子デバイス、マシンタイプ通信（ＭＴＣ：machine type communication）デバイスまたは同様のものであり得る。
【００３０】
[0038]基地局１０５は、コアネットワーク１３０と、および互いに通信し得る。例えば、基地局１０５は、バックホールリンク１３２（例えば、Ｓ１、等）を通じて、コアネットワーク１３０とインターフェースし得る。基地局１０５は、（例えば、コアネットワーク１３０を通じて）直接的にまたは間接的にのいずれかで、バックホールリンク１３４（例えば、Ｘ２、等）を介して互いに通信し得る。基地局１０５は、ＵＥ１１５との通信のために無線構成（radio configuration）およびスケジューリングを実行し得るか、または基地局コントローラ（図示せず）の制御下で動作し得る。いくつかの例では、基地局１０５は、マクロセル、スモールセル、ホットスポット、または同様のものであり得る。基地局１０５はまた、ｅノードＢ（ｅＮＢ）１０５と呼ばれ得る。
【００３１】
[0039]いくつかのケースでは、ＵＥ１１５または基地局１０５は、共有またはアンライセンス（unlicensed）周波数スペクトルにおいて動作し得る。これらのデバイスは、チャネルが利用可能であるかどうかを決定するために、通信するより前にＣＣＡを実行し得る。ＣＣＡは、その他任意の（any other）アクティブな送信が存在するかどうかを決定するためのエネルギー検出プロシージャを含み得る。例えば、デバイスは、電力メーターの受信信号強度インジケーション（ＲＳＳＩ）における変化が、チャネルが占有されていることを示すと推測（infer）し得る。具体的には、ある特定の帯域幅に集中され、所定のノイズフロア(noise floor)を超える信号電力は、別のワイヤレス送信機を示し得る。ＣＣＡはまた、チャネルの使用を示す特定のシーケンスの検出を含み得る。例えば、別のデバイスは、データシーケンスを送信するより前に、特定のプリアンブルを送信し得る。いくつかのケースでは、拡張されたＣＣＡ（ｅＣＣＡ）は、チャネルに近隣デバイスからの干渉がないかどうかを決定するために使用され得る。ｅＣＣＡは、複数のＣＣＡプロシージャを実行することを含み得る。ＣＣＡがパスするたびに、カウンタが低減され得る。カウンタが特定のチャネルについてゼロに達した場合、ｅＣＣＡは、そのチャネルについてパスしたと決定され得る。
【００３２】
[0040]いくつかのケースでは、ワイヤレス通信システム１００は、１つまたは複数の拡張されたコンポーネントキャリア（ＥＣＣ）を利用し得る。ＥＣＣは、柔軟な帯域幅、異なる送信時間間隔（ＴＴＩ）、および変更された制御チャネル構成を含む、１つまたは複数の特徴によって特徴付けられ得る。いくつかのケースでは、ＥＣＣは、（例えば、複数のサービングセルが準最適(suboptimal)のバックホールリンクを有するとき）デュアルコネクティビティ(dual connectivity)構成またはキャリアアグリゲーション（ＣＡ）構成に関連付けられ得る。ＥＣＣはまた、（例えば、１より多くのオペレータがスペクトルを使用することをライセンスされている）共有スペクトルまたはアンライセンススペクトルにおける使用のために構成され得る。柔軟な帯域幅によって特徴付けられるＥＣＣは、（例えば、電力を節約するために）制限された帯域幅を使用することを好むか、または帯域幅全体をモニタすることが可能でないＵＥ１１５によって利用され得る１つまたは複数のセグメントを含み得る。
【００３３】
[0041]いくつかのケースでは、ＥＣＣは、他のコンポーネントキャリア（ＣＣ）とは異なるＴＴＩ長を利用し得、それは、他のＣＣのＴＴＩと比較して、低減されたまたは可変のシンボル持続時間の使用を含み得る。シンボル持続時間は、いくつかのケースでは、同じままであり得るが、各シンボルは、別個のＴＴＩを表し得る。いくつかの例では、ＥＣＣは、異なるＴＴＩ長に関連付けられた複数の階層的レイヤを含み得る。例えば、１つの階層的レイヤにおけるＴＴＩが、均一な１ｍｓのサブフレームに対応し得る一方で、第２のレイヤでは、可変長のＴＴＩが、短い持続時間のシンボル期間のバーストに対応し得る。いくつかのケースでは、より短いシンボル持続時間がまた、増大されたサブキャリア間隔(increased subcarrier spacing)に関連付けられ得る。低減されたＴＴＩ長と併せて、ＥＣＣは、ダイナミック時分割複信（ＴＤＤ）動作を利用し得る（すなわち、それは、ダイナミックな状態（conditions）に従って、短いバーストについてＤＬ動作からＵＬ動作に切り替わり得る）。柔軟な帯域幅および可変のＴＴＩは、変更された制御チャネル構成に関連付けられ得る（例えば、ＥＣＣは、ＤＬ制御情報のために拡張された物理ダウンリンク制御チャネル（ｅＰＤＣＣＨ）を利用し得る）。
【００３４】
[0042]例えば、ＥＣＣの１つまたは複数の制御チャネルは、柔軟な帯域幅使用に合わせて（accommodate）、周波数分割多重化（ＦＤＭ）スケジューリングを利用し得る。他の制御チャネルの変更は、異なる間隔で送信される制御チャネル、または（例えば、可変長のＵＬおよびＤＬバーストの長さを示すための、または発展型マルチメディアブロードキャストマルチキャストサービス（ｅＭＢＭＳ）スケジューリングのための）追加の制御チャネルの使用を含む。ＥＣＣはまた、変更されたまたは追加のハイブリッド自動再送要求（ＨＡＲＱ）関連制御情報を含み得る。
【００３５】
[0043]したがって、ワイヤレス通信システム１００は、送信より前にＬＢＴプロシージャを利用し得る。基地局１０５が、１つのチャネルではｅＣＣＡにパスし、別のチャネルでは単一のＣＣＡにパスし得る。その後、基地局１０５は、ＵＥ１１５が両方のチャネル上で送信するためのグラントを送り得る。ＵＥ１１５は、グラントを受信し、第１のチャネルでは単一のＣＣＡおよび第２のチャネルではｅＣＣＡにパスし得る。その後、ＵＥ１１５は、第１のチャネルと第２のチャネルの両方の上でアップリンク情報を送信し得る。すなわち、基地局１０５は、たとえそれが基地局１０５においてｅＣＣＡにパスしていなかったとしても、第２のチャネル上で送信するための日和見的なグラントを送り得る。その後、ＵＥ１１５は、そのチャネルを、それがｅＣＣＡにパスした場合に使用し得る。
【００３６】
[0044]図２は、ＥＣＣのための日和見的な拡張されたチャネルアップリンクグラントのためのワイヤレス通信システム２００の例を例示する。ワイヤレス通信システム２００は、基地局１０５−ａと、ＵＥ１１５−ａ、１１５−ｂ、および１１５−ｃとを含み得、これらは、図１を参照して説明された対応するデバイスの例であり得る。ワイヤレス通信システム２００は、変更されたＬＢＴプロシージャに基づいて、ＥＣＣのための日和見的な拡張されたチャネルＵＬグラントをサポートし得る。
【００３７】
[0045]すなわち、ワイヤレス通信システム２００は、コンテンションベースのシステムにおける動作をサポートし得る。したがって、基地局１０５−ａおよびＵＥ１１５−ａは、送信するより前にＬＢＴプロシージャを利用し得る。例えば、基地局１０５−ａまたはＵＥ１１５−ａは、しきい値エネルギーレベルを検出することによって、チャネルに対してＣＣＡを実行し得る。いくつかのケースでは、基地局１０５−ａまたはＵＥ１１５−ａは、複数のＣＣＡ測定を含むｅＣＣＡを実行し得る。例えば、カウンタが、チャネルが利用可能であることを決定する前に、十分な数のＣＣＡの試みがパスしたかどうかを決定するために使用され得る。
【００３８】
[0046]いくつかのケースでは、基地局１０５−ａは、ＵＥ１１５−ａによるアップリンク送信についてのチャネルの可用性を決定するために、ｅＣＣＡを実行し得る。他の近隣デバイス（例えば、ＵＥ１１５−ｂまたはＵＥ１１５−ｃ）は、基地局１０５−ａによって使用されることになる（to be used）（１つまたは複数の）チャネル上で送信していることがあり得、これは、２つのデバイスが同時に送信する場合、干渉を引き起こし得る。したがって、基地局１０５−ａは、各チャネルに対してｅＣＣＡを試み、利用可能であるそれらのチャネルについてのグラントを送り得る。基地局１０５−ａは、ｅＣＣＡにパスしたチャネル上で、短いＤＬバースト中でＵＬグラントを送信し得る。ＵＥ１１５−ａがＵＬグラントを受信すると、それは、ＵＬ送信の前に、グラントされたチャネルに対して再びｅＣＣＡを実行することはできない（may not perform）。代わりに、ＵＥ１１５−ａは、これらのチャネルにわたって単一のＣＣＡを実行し得、ＣＣＡがパスした場合、ＵＥ１１５−ａは、そのチャネル上でデータを送信し得る。いくつかのケースでは、ＵＥ１１５−ａは、それらの全てがＣＣＡにパスしたわけではない場合、グラントされたチャネルのサブセット上で送信し得る。ＵＥ１１５−ａは、ＣＣＡがパスしなかった場合、グラントされたチャネルに対してｅＣＣＡを実行し、グラントの終了より前に、ｅＣＣＡがパスした場合、そのチャネル上で送信し得る。
【００３９】
[0047]いくつかのケースでは、基地局１０５−ａは、ｅＣＣＡがあるチャネルについてはフェイルしたと決定し得るが、このチャネルは、ＵＥ１１５−ａの観点からは利用可能であり得る。すなわち、グラントの送信時には、各チャネルについて３つの可能な状態があり得る：ｅＣＣＡが基地局１０５−ａ側でパスした；ｅＣＣＡが基地局１０５−ａ側でフェイルしたが、ＣＣＡがパスした；またはＣＣＡ（およびｅＣＣＡ）がフェイルした。したがって、いくつかのケースでは、基地局１０５−ａは、ｅＣＣＡにパスしたチャネルを検査（check out）し得、これらのチャネル上でＵＬグラントを送り得る。しかしながら、ＵＬグラントはまた、ｅＣＣＡにフェイルしたが、ＣＣＡにパスしたチャネルにおけるリソースを示し得る。これらは、日和見的なグラントとして知られ得る。
【００４０】
[0048]ＵＥ１１５−ａは、グラントを受信し、グラントを送信するために使用された（１つまたは複数の）チャネルと、グラントされたチャネルとを比較し得る。グラントされかつＤＬバースト中で使用されているチャネルについては、ＵＥ１１５−ａは、それらチャネルが基地局１０５−ａにおいてｅＣＣＡにパスしたと仮定し得、単一のＣＣＡを実行した後に、それらを使用し得る。いくつかの他のケースでは、ＵＥ１１５−ａは、グラントされたが、グラントを送信するために基地局１０５−ａによって使用されなかったチャネルは、基地局１０５−ａにおいてｅＣＣＡにパスしなかったと仮定し得る。すなわち、ＵＥ１１５−ａは、ＵＥ１１５−ａ側でｅＣＣＡがパスする（すなわち、ＣＣＡカウンタが０に達する）かどうかを決定するために、これらのチャネルをモニタし得る。ｅＣＣＡがパスした場合、ＵＥ１１５−ａは、グラントに従ってアップリンクデータを送信し得る。チャネルについてのＵＥ１１５−ａのｅＣＣＡカウンタが小さい（small）場合、基地局１０５−ａのＤＬバーストと、グラントされたＵＬバーストとの間の余分の時間は、ｅＣＣＡカウンタを０までカウントダウンさせるのに十分であり得る。したがって、ＵＥ１１５−ａは、たとえ基地局１０５−ａがそうでなかったとしても（did not）、それらのチャネルでのｅＣＣＡにパスし得、アップリンクデータを送信するために、これらのチャネルを使用し得る。
【００４１】
[0049]したがって、マルチチャネル動作では、キャリアについてのＬＢＴ状態は、日和見的な拡張されたチャネルグラントが使用されるべきかどうかを決定するために使用され得る。ここでＬＢＴ状態は、１つまたは複数のＣＣＡの試みに基づくＣＣＡステータスおよびｅＣＣＡ動作についてのカウンタの数（counter number）を含み得る。
【００４２】
[0050]基地局１０５−ａは、ＵＥ１１５−ａ側でのチャネルの将来の可用性を推定するために、ＣＣＡステータスを使用し得る。例えば、あるチャネルに対する最新のＣＣＡがフェイルした場合、そのチャネル上では干渉が残っていることが予期されるので、そのチャネルを回避することが適切であり得る。最新のＣＣＡがパスし、チャネルのためのｅＣＣＡカウンタがゼロに近い場合、ＵＥ１１５−ａがそれ自体でこのチャネルを空き（clear）にすることができる可能性が高くなり得る。最新のＣＣＡがパスし、チャネルのためのｅＣＣＡカウンタがゼロから遠い場合、ＵＥ１１５−ａは、このチャネルを空きにする可能性が低くなり得、拡張されたチャネルグラントは、役立たないことがあり得る。いくつかのケースでは、ＵＥ側のｅＣＣＡは、干渉源（例えば、ＵＥ１１５−ｂ）が基地局１０５−ａにより近い場合、著しく異なり得る。
【００４３】
[0051]ＵＥ１１５−ａが、スケジュールされたＵＬバーストの前に、ＣＣＡにフェイルした場合、それは、ｅＣＣＡを始め得、グラントされたＵＬバーストが終了する前にｅＣＣＡがパスした場合、送信することを開始し得る。ＵＥ１１５−ａがいくつかのチャネルでＣＣＡにパスしたが、いくつかのチャネルがｅＣＣＡにパスしなかった場合、ＵＥ１１５−ａは、より多くのチャネルを使用するために、ｅＣＣＡがパスするまで待つことを選び得る。しかしながら、待つことは、ＣＣＡにパスしたチャネルを失う可能性を増大させ得る。
【００４４】
[0052]いくつかの他のケースでは、２つのＵＬグラントが、ＵＥ１１５−ａのためのＤＬバースト中で送信され得る。第１のＵＬグラントは、基地局１０５−ａ側でｅＣＣＡにパスしたチャネルをカバーし得、第２のＵＬグラントは、日和見的なチャネル（例えば、基地局１０５−ａ側でＣＣＡにパスしたが、ｅＣＣＡにパスしていないチャネル）をカバーし得る。これらグラントは、それらによってグラントされる２つのセットのチャネルの異なる信頼性を反映し得る。例えば、これらグラントは、異なるＭＣＳを使用し得る。
【００４５】
[0053]図３Ａ、図３Ｂ、および図３Ｃは、ＥＣＣのための日和見的な拡張されたチャネルアップリンクグラントのためのグラント構成(grant configurations)３０１、３０２、および３０３の例を例示する。いくつかのケースでは、グラント構成３０１−３０３は、図１−図２を参照して説明されたような、ＵＥ１１５または基地局１０５によって実行される技法の態様を表し得る。
【００４６】
[0054]グラント構成３０１では、干渉は、基地局１０５によって検出され得、ＵＥ１１５は、それに気づかないことがあり得る（may not see it）。干渉に基づいて、基地局１０５は、ｅＣＣＡにフェイルしたチャネルについてのＵＬグラントを送ることを控え得る。
【００４７】
[0055]すなわち、基地局１０５は、複数のチャネル（例えば、第１のチャネル３０５−ａ、第２のチャネル３０５−ｂ、第３のチャネル３０５−ｃ、および第４のチャネル３０５−ｄ）に対してｅＣＣＡを実行し得る。基地局１０５において、第１のチャネル３０５−ａおよび第３のチャネル３０５−ｃは、（ＣＣＡ３１０−ａを含む）ｅＣＣＡ３１５−ａにパスし、第２のチャネル３０５−ｂは、（ＣＣＡ３１０−ｂにパスしたにもかかわらず）ｅＣＣＡ３１５−ｂにフェイルする。
【００４８】
[0056]基地局１０５は、その上でＵＬグラントとともに（with）ＤＬバースト３２０−ａを送信することによって、第１のチャネル３０５−ａおよび第３のチャネル３０５−ｃを検査し得る。ＵＬグラントは、第１のチャネル３０５−ａおよび第３のチャネル３０５−ｃをカバーし得る。基地局１０５は、ＵＥ１１５からＵＬ送信３２５−ａを受信し得る。
【００４９】
[0057]ＵＥ１１５において、第１のチャネル３０５−ａおよび第３のチャネル３０５−ｃは、ｅＣＣＡ３１５−ｃにパスする。ＵＥ１１５は、ＵＬグラントを受信し得、第１のチャネル３０５−ａおよび第３のチャネル３０５−ｃに対して単一のＣＣＡ３１０−ｃを実行し得る。成功したＣＣＡ３１０−ｃに続いて、ＵＥ１１５は、ＵＬ送信３２５−ｂを通じて、第１のチャネル３０５−ａおよび第３のチャネル３０５−ｃ上でＵＬデータを送信し得る。
【００５０】
[0058]グラント構成３０２では、干渉は、基地局１０５によって検出され得、ＵＥ１１５は、それに気づかないことがあり得る。しかしながら、基地局１０５は、ｅＣＣＡにパスしたことに基づいて、日和見的なグラントを送信し得る。
【００５１】
[0059]基地局１０５は、複数のチャネル（例えば、第１のチャネル３０５−ｅ、第２のチャネル３０５−ｆ、第３のチャネル３０５−ｇ、および第４のチャネル３０５−ｈ）に対してｅＣＣＡを実行し得る。第１のチャネル３０５−ｅおよび第３のチャネル３０５−ｇは、（ＣＣＡ３１０−ｄを含む）ｅＣＣＡ３１５−ｄにパスし、第２のチャネル３０５−ｆは、ｅＣＣＡ３１５−ｅにフェイルするが、ＣＣＡ３１０−ｅにパスし得る。
【００５２】
[0060]基地局１０５は、その上でＵＬグラントとともにＤＬバースト３２０−ｂを送信することによって、第１のチャネル３０５−ｅおよび第３のチャネル３０５−ｇを検査し得、第２のチャネル３０５−ｆは、ＤＬバースト３２０−ｂを通じて送信されるＵＬグラント中に含まれ得る。基地局１０５は、ＵＥ１１５からＵＬ送信３２５−ｃおよびＵＬ送信３２５−ｄを受信し得る。
【００５３】
[0061]ＵＥ１１５において、第１のチャネル３０５−ｅおよび第３のチャネル３０５−ｇは、ｅＣＣＡ３１５−ｆにパスする。ＵＥ１１５は、ＵＬグラントを受信し得、第１のチャネル３０５−ｅおよび第３のチャネル３０５−ｇに対して単一のＣＣＡ３１０−ｆを実行し得、それはまた、第２のチャネル３０５−ｆに対してｅＣＣＡ３１５−ｇを実行し得る。成功したｅＣＣＡ３１５−ｆに続いて、ＵＥ１１５は、ＵＬ送信３２５−ｅを通じて、第１のチャネル３０５−ｅおよび第３のチャネル３０５−ｇ上でＵＬデータを送信し得る。いくつかのケースでは、第２のチャネル３０５−ｆでの成功したｅＣＣＡ３１５−ｇに続いて、ＵＥ１１５はまた、ＵＬ送信３２５−ｆを通じて、第２のチャネル３０５−ｆ上でデータを送信し得る。
【００５４】
[0062]グラント構成３０３では、干渉は、基地局１０５とＵＥ１１５の両方によって検出され得る。基地局１０５は、日和見的なグラントを送信し得るが、ＵＥ１１５は、それがｅＣＣＡにパスするまで、送信することを控え得る。
【００５５】
[0063]基地局１０５は、複数のチャネル（例えば、第１のチャネル３０５−ｉ、第２のチャネル３０５−ｊ、第３のチャネル３０５−ｋ、および第４のチャネル３０５−ｌ）に対してｅＣＣＡを実行し得る。第１のチャネル３０５−ｉおよび第３のチャネル３０５−ｋは、（ＣＣＡ３１０−ｇを含む）ｅＣＣＡ３１５−ｈにパスし、第２のチャネル３０５−ｊは、ｅＣＣＡ３１５−ｉにフェイルするが、ＣＣＡ３１０−ｈにパスし得る。
【００５６】
[0064]基地局１０５は、その上でＵＬグラントとともにＤＬバースト３２０−ｃを送信することによって、第１のチャネル３０５−ｉおよび第３のチャネル３０５−ｋを検査し得、第２のチャネル３０５−ｊは、ＤＬバースト３２０−ｃを通じて送信されるＵＬグラント中に含まれ得る。基地局１０５は、ＵＥ１１５からＵＬ送信３２５−ｇを受信し得る。
【００５７】
[0065]ＵＥ１１５において、第１のチャネル３０５−ｉおよび第３のチャネル３０５−ｋは、ｅＣＣＡ３１５−ｊにパスし、第２のチャネル３０５−ｊは、ｅＣＣＡ３１５−ｋにフェイルする。ＵＥ１１５は、ＵＬグラントを受信し得、第１のチャネル３０５−ｉおよび第３のチャネル３０５−ｋに対して単一のＣＣＡ３１０−ｉを実行し得、それはまた、第２のチャネル３０５−ｊに対してｅＣＣＡ３１５−ｌを実行し得る。成功したＣＣＡ３１０−ｆに続いて、ＵＥ１１５は、ＵＬ送信３２５−ｈを通じて、第１のチャネル３０５−ｉおよび第３のチャネル３０５−ｋ上でＵＬデータを送信し得る。いくつかのケースでは、ｅＣＣＡ３１５−ｌは、第２のチャネル３０５−ｊ上で成功しないことがあり得、ＵＥ１１５は、第２のチャネル３０５−ｊ上でデータを送信しないことがあり得る。
【００５８】
[0066]図４は、本開示の様々な態様による、ＥＣＣのための日和見的な拡張されたチャネルアップリンクグラントのためのプロセスフロー４００の例を例示する。プロセスフロー４００は、基地局１０５−ｂおよびＵＥ１１５−ｄを含み得、これらは、図１−図２を参照して説明された対応するデバイスの例であり得る。
【００５９】
[0067]ステップ４０５において、基地局１０５−ｂは、各チャネルに対してｅＣＣＡを実行することによって、第１のチャネル（Ｃｈ１）および第２のチャネル（Ｃｈ２）の可用性を決定し得る。ｅＣＣＡは、第１のチャネルではパスし、第２のチャネルではフェイルし得る。ステップ４１０において、基地局１０５−ｂは、第２のチャネルに対して単一のＣＣＡを実行し得る。したがって、基地局１０５−ｂは、第１のチャネルに対する第１のｅＣＣＡチェックが成功でありかつ第２のチャネルに対する第２のｅＣＣＡチェックが不成功であることを決定し得る。
【００６０】
[0068]ステップ４１５において、ＵＬグラントが、ＵＥ１１５−ｄへ第１のチャネル上で送られ得る。ＵＬグラントはまた、第２のチャネルが、ｅＣＣＡにフェイルしたが、ＣＣＡにパスし得たかどうかを示し得る。したがって、ＵＥ１１５−ｄは、第１のチャネル上でスケジューリングメッセージを受信し得、スケジューリングメッセージは、第１のチャネルおよび第２のチャネルを識別する。
【００６１】
[0069]ステップ４２０において、ＵＥ１１５−ｄは、ＵＬグラントを受信し得、第１のチャネルに対して単一のＣＣＡを実行し得る。したがって、ＵＥ１１５−ｄは、第１のチャネル上でスケジューリングメッセージを受信することに基づいて、第１のチャネルに対して第１のチャネルクリアランスプロシージャを実行し得る。第１のチャネルクリアランスプロシージャは、単一のＣＣＡチェックを実行することと、その後、単一のＣＣＡチェックが不成功であった場合、ｅＣＣＡチェックを実行することとを含み得る。
【００６２】
[0070]ステップ４２５において、ＵＥ１１５−ｄは、第２のチャネルに対してｅＣＣＡを実行し得る。したがって、ＵＥ１１５−ｄは、スケジューリングメッセージが第２のチャネル上で受信されていないと決定することに基づいて、第２のチャネルに対して第２のチャネルクリアランスプロシージャを実行し得る。単一のＣＣＡチェックは、単一のＣＣＡに基づいて、第１のチャネルが空いているかどうかを決定することを含み得る。いくつかのケースでは、第２のチャネルクリアランスプロシージャは、単一のＣＣＡチェックでは、第２のチャネルへのアクセスを得るのに十分ではないと決定することに依存し得る。すなわち、ＵＥ１１５−ｄは、グラントが第２のチャネル上で送信されなかったことを認識し、それに応じて異なる（拡張された）チャネルプロシージャを選択し得る。
【００６３】
[0071]ステップ４３０において、ＵＥ１１５−ｄは、ＵＬ送信を、（ステップ４２０が成功であった場合は）第１のチャネル上で、および（ステップ４２５が成功であった場合は）第２のチャネル上で実行し得る。したがって、ＵＥ１１５−ｄは、第１のチャネルクリアランスプロシージャに基づいて、第１のチャネル上でアップリンクデータを送信し得、第２のチャネルクリアランスプロシージャに基づいて、第２のチャネル上でアップリンクデータを送信し得る。
【００６４】
[0072]図５は、本開示の様々な態様による、ＥＣＣのための日和見的な拡張されたチャネルアップリンクグラントをサポートするワイヤレスデバイス５００のブロック図を示す。ワイヤレスデバイス５００は、図１および図２を参照して説明されたＵＥ１１５の態様の例であり得る。ワイヤレスデバイス５００は、受信機５０５、日和見的なグラントマネージャ５１０、および送信機５１５を含み得る。ワイヤレスデバイス５００はまた、プロセッサを含み得る。これらのコンポーネントの各々は、互いと通信状態にあり得る。
【００６５】
[0073]受信機５０５は、様々な情報チャネル（例えば、ＥＣＣのための日和見的な拡張されたチャネルアップリンクグラントに関連する情報、データチャネル、および制御チャネル、等）に関連付けられた制御情報、ユーザデータ、またはパケットのような情報を受信し得る。情報は、デバイスの他のコンポーネントへと渡され（passed）得る。受信機５０５は、図８を参照して説明されるトランシーバ８２５の態様の例であり得る。
【００６６】
[0074]日和見的なグラントマネージャ５１０は、第１のチャネル上でスケジューリングメッセージを受信し、スケジューリングメッセージは、第１のチャネルおよび第２のチャネルを識別し、第１のチャネル上でスケジューリングメッセージを受信することに少なくとも部分的に基づいて、第１のチャネルに対して第１のチャネルクリアランスプロシージャを実行し、スケジューリングメッセージが第２のチャネル上で受信されていないと決定することに少なくとも部分的に基づいて、第２のチャネルに対して第２のチャネルクリアランスプロシージャを実行し得る。日和見的なグラントマネージャ５１０はまた、図８を参照して説明される日和見的なグラントマネージャ８０５の態様の例であり得る。
【００６７】
[0075]送信機５１５は、ワイヤレスデバイス５００の他のコンポーネントから受信される信号を送信し得る。いくつかの例では、送信機５１５は、トランシーバモジュールにおいて受信機とコロケート（collocated）され得る。例えば、送信機５１５は、図８を参照して説明されるトランシーバ８２５の態様の例であり得る。送信機５１５は、単一のアンテナを含み得るか、またはそれは、複数のアンテナを含み得る。
【００６８】
[0076]図６は、本開示の様々な態様による、ＥＣＣのための日和見的な拡張されたチャネルアップリンクグラントをサポートするワイヤレスデバイス６００のブロック図を示す。ワイヤレスデバイス６００は、図１、図２および図５を参照して説明されたワイヤレスデバイス５００またはＵＥ１１５の態様の例であり得る。ワイヤレスデバイス６００は、受信機６０５、日和見的なグラントマネージャ６１０および送信機６３０を含み得る。ワイヤレスデバイス６００はまた、プロセッサを含み得る。これらのコンポーネントの各々は、互いと通信状態にあり得る。
【００６９】
[0077]受信機６０５は、デバイスの他のコンポーネントへと渡され得る情報を受信し得る。受信機６０５はまた、図５の受信機５０５を参照して説明された機能を実行し得る。受信機６０５は、図８を参照して説明されるトランシーバ８２５の態様の例であり得る。
【００７０】
[0078]日和見的なグラントマネージャ６１０は、図５を参照して説明された日和見的なグラントマネージャ５１０の態様の例であり得る。日和見的なグラントマネージャ６１０は、スケジューリングメッセージコンポーネント６１５、第１のチャネルクリアランスコンポーネント６２０および第２のチャネルクリアランスコンポーネント６２５を含み得る。日和見的なグラントマネージャ６１０は、図８を参照して説明される日和見的なグラントマネージャ８０５の態様の例であり得る。
【００７１】
[0079]スケジューリングメッセージコンポーネント６１５は、第１のチャネル上でスケジューリングメッセージを受信し得、スケジューリングメッセージは、第１のチャネルおよび第２のチャネルを識別する。いくつかのケースでは、スケジューリングメッセージは、第１のチャネルについての第１のアップリンクグラントおよび第２のチャネルについての第２のアップリンクグラントを含む。
【００７２】
[0080]第１のチャネルクリアランスコンポーネント６２０は、第１のチャネル上でスケジューリングメッセージを受信することに少なくとも部分的に基づいて、第１のチャネルに対して第１のチャネルクリアランスプロシージャを実行し得る。いくつかのケースでは、第１のチャネルクリアランスプロシージャを実行することは、単一の空きチャネル判定チェックを実行することと、単一の空きチャネル判定チェックが不成功であった場合、ｅＣＣＡチェックを実行することとを含む。
【００７３】
[0081]第２のチャネルクリアランスコンポーネント６２５は、スケジューリングメッセージが第２のチャネル上で受信されていないと決定することに少なくとも部分的に基づいて、第２のチャネルに対して第２のチャネルクリアランスプロシージャを実行し得る。いくつかのケースでは、第２のチャネルクリアランスプロシージャを実行することは、単一の空きチャネル判定チェックでは、第２のチャネルへのアクセスを得るのに十分ではないと決定することを含む。
【００７４】
[0082]送信機６３０は、ワイヤレスデバイス６００の他のコンポーネントから受信される信号を送信し得る。いくつかの例では、送信機６３０は、トランシーバモジュールにおいて受信機とコロケートされ得る。例えば、送信機６３０は、図８を参照して説明されるトランシーバ８２５の態様の例であり得る。送信機６３０は、単一のアンテナを利用し得るか、またはそれは、複数のアンテナを利用し得る。
【００７５】
[0083]図７は、ワイヤレスデバイス５００またはワイヤレスデバイス６００の対応するコンポーネントの例であり得る日和見的なグラントマネージャ７００のブロック図を示す。すなわち、日和見的なグラントマネージャ７００は、図５および図６を参照して説明された日和見的なグラントマネージャ５１０または日和見的なグラントマネージャ６１０の態様の例であり得る。日和見的なグラントマネージャ７００はまた、図８を参照して説明される日和見的なグラントマネージャ８０５の態様の例であり得る。
【００７６】
[0084]日和見的なグラントマネージャ７００は、スケジューリングメッセージコンポーネント７０５、第１のチャネルクリアランスコンポーネント７１０、ＣＣＡコンポーネント７１５、アップリンクデータコンポーネント７２０、ｅＣＣＡコンポーネント７２５および第２のチャネルクリアランスコンポーネント７３０を含み得る。これらのモジュールの各々は、（例えば、１つまたは複数のバスを介して）互いと直接的にまたは間接的に通信し得る。
【００７７】
[0085]スケジューリングメッセージコンポーネント７０５は、第１のチャネル上でスケジューリングメッセージを受信し得、スケジューリングメッセージは、第１のチャネルおよび第２のチャネルを識別する。いくつかのケースでは、スケジューリングメッセージは、第１のチャネルについての第１のアップリンクグラントおよび第２のチャネルについての第２のアップリンクグラントを含む。
【００７８】
[0086]第１のチャネルクリアランスコンポーネント７１０は、第１のチャネル上でスケジューリングメッセージを受信することに少なくとも部分的に基づいて、第１のチャネルに対して第１のチャネルクリアランスプロシージャを実行し得る。いくつかのケースでは、第１のチャネルクリアランスプロシージャを実行することは、単一の空きチャネル判定チェックを実行することと、単一の空きチャネル判定チェックが不成功であった場合、ｅＣＣＡチェックを実行することとを含む。
【００７９】
[0087]ＣＣＡコンポーネント７１５は、単一の空きチャネル判定チェックを実行することが、単一の空きチャネル判定に少なくとも部分的に基づいて、第１のチャネルが空いているかどうかを決定することを含むように構成され得る。
【００８０】
[0088]アップリンクデータコンポーネント７２０は、第１のチャネルクリアランスプロシージャに少なくとも部分的に基づいて、第１のチャネル上でアップリンクデータを送信し、第２のチャネルクリアランスプロシージャに少なくとも部分的に基づいて、第２のチャネル上でアップリンクデータを送信し得、ここにおいて、送信されたアップリンクデータは、第１のチャネル、第２のチャネル、または両方が使用されているかどうかのインジケーションを含む。いくつかのケースでは、第１のアップリンクグラントの第１の変調およびコーディングスキームは、第２のアップリンクグラントの第２の変調およびコーディングスキームとは異なる。
【００８１】
[0089]ｅＣＣＡコンポーネント７２５は、第２のチャネルクリアランスプロシージャを実行することが、ｅＣＣＡチェックを実行することを含むように構成され得る。
【００８２】
[0090]第２のチャネルクリアランスコンポーネント７３０は、第２のチャネルクリアランスプロシージャを実行することが、ｅＣＣＡチェックを実行することを含むように構成され得る。
【００８３】
[0091]図８は、本開示の様々な態様による、ＥＣＣのための日和見的な拡張されたチャネルアップリンクグラントをサポートするデバイスを含むシステム８００の図を示す。例えば、システム８００は、ＵＥ１１５−ｅを含み得、それは、図１、図２および図５〜図７を参照して説明されたようなワイヤレスデバイス５００、ワイヤレスデバイス６００、またはＵＥ１１５の例であり得る。ＵＥ１１５−ｅはまた、日和見的なグラントマネージャ８０５、プロセッサ８１０、メモリ８１５、トランシーバ８２５、アンテナ８３０およびＥＣＣモジュール８３５を含み得る。これらのモジュールの各々は、（例えば、１つまたは複数のバスを介して）互いと直接的にまたは間接的に通信し得る。日和見的なグラントマネージャ８０５は、図５〜図７を参照して説明されたような日和見的なグラントマネージャの例であり得る。
【００８４】
[0092]プロセッサ８１０は、インテリジェントハードウェアデバイス（例えば、中央処理ユニット（ＣＰＵ）、マイクロコントローラ、特定用途向け集積回路（ＡＳＩＣ）、等）を含み得る。メモリ８１５は、ランダムアクセスメモリ（ＲＡＭ）および読取専用メモリ（ＲＯＭ）を含み得る。メモリ８１５は、実行されると、プロセッサに、ここで説明された様々な機能（例えば、ＥＣＣのための日和見的な拡張されたチャネルアップリンクグラント、等）を実行することを行わせる命令を含むコンピュータ可読で、コンピュータ実行可能なソフトウェアを記憶し得る。いくつかのケースでは、ソフトウェア８２０は、プロセッサによって直接的に実行可能でないことがあり得るが、（例えば、コンパイルされ、実行されると）コンピュータに、ここで説明された機能を実行することを行わせ得る。
【００８５】
[0093]トランシーバ８２５は、上記で説明されたように、１つまたは複数のネットワークと、１つまたは複数のアンテナ、ワイヤードリンク、またはワイヤレスリンクを介して、双方向に通信し得る。例えば、トランシーバ８２５は、基地局１０５またはＵＥ１１５と双方向に通信し得る。トランシーバ８２５はまた、パケットを変調して、変調されたパケットを送信のためにアンテナに提供するためと、アンテナから受信されたパケットを復調するためのモデムを含み得る。いくつかのケースでは、ワイヤレスデバイスは、単一のアンテナ８３０を含み得る。しかしながら、いくつかのケースでは、デバイスは、１つより多くのアンテナ８３０を有し得、それらは、複数のワイヤレス送信を同時並行（concurrently）に送信または受信することが可能であり得る。
【００８６】
[0094]ＥＣＣモジュール８３５は、多数のＣＣを使用するか、低減されたＴＴＩまたはサブフレームの持続時間を使用するか、あるいは共有またはアンライセンススペクトルを使用する通信のようなＥＣＣを使用する動作を可能にし得る。
【００８７】
[0095]図９は、本開示の様々な態様による、ＥＣＣのための日和見的な拡張されたチャネルアップリンクグラントをサポートするワイヤレスデバイス９００のブロック図を示す。ワイヤレスデバイス９００は、図１および図２を参照して説明された基地局１０５の態様の例であり得る。ワイヤレスデバイス９００は、受信機９０５、日和見的なグラントマネージャ９１０および送信機９１５を含み得る。ワイヤレスデバイス９００はまた、プロセッサを含み得る。これらのコンポーネントの各々は、互いと通信状態にあり得る。
【００８８】
[0096]受信機９０５は、様々な情報チャネル（例えば、ＥＣＣのための日和見的な拡張されたチャネルアップリンクグラントに関連する情報、データチャネル、および制御チャネル、等）に関連付けられた制御情報、ユーザデータ、またはパケットのような情報を受信し得る。情報は、デバイスの他のコンポーネントへと渡され得る。受信機９０５は、図１２を参照して説明されるトランシーバ１２２５の態様の例であり得る。
【００８９】
[0097]日和見的なグラントマネージャ９１０は、第１のチャネルに対する第１のｅＣＣＡチェックが成功でありかつ第２のチャネルに対する第２のｅＣＣＡチェックが不成功であることを決定し、この決定に基づいて、第１のチャネル上でスケジューリングメッセージを送信し得、スケジューリングメッセージは、第１のチャネルおよび第２のチャネルを識別する。日和見的なグラントマネージャ９１０はまた、図１２を参照して説明される日和見的なグラントマネージャ１２０５の態様の例であり得る。
【００９０】
[0098]送信機９１５は、ワイヤレスデバイス９００の他のコンポーネントから受信される信号を送信し得る。いくつかの例では、送信機９１５は、トランシーバモジュールにおいて受信機とコロケートされ得る。例えば、送信機９１５は、図１２を参照して説明されるトランシーバ１２２５の態様の例であり得る。送信機９１５は、単一のアンテナを含み得るか、またはそれは、複数のアンテナを含み得る。
【００９１】
[0099]図１０は、本開示の様々な態様による、ＥＣＣのための日和見的な拡張されたチャネルアップリンクグラントをサポートするワイヤレスデバイス１０００のブロック図を示す。ワイヤレスデバイス１０００は、図１、図２および図９を参照して説明されたワイヤレスデバイス９００または基地局１０５の態様の例であり得る。ワイヤレスデバイス１０００は、受信機１００５、日和見的なグラントマネージャ１０１０および送信機１０２５を含み得る。ワイヤレスデバイス１０００はまた、プロセッサを含み得る。これらのコンポーネントの各々は、互いと通信状態にあり得る。
【００９２】
[0100]受信機１００５は、デバイスの他のコンポーネントへと渡され得る情報を受信し得る。受信機１００５はまた、図９の受信機９０５を参照して説明された機能を実行し得る。受信機１００５は、図１２を参照して説明されるトランシーバ１２２５の態様の例であり得る。
【００９３】
[0101]日和見的なグラントマネージャ１０１０は、図９を参照して説明された日和見的なグラントマネージャ９１０の態様の例であり得る。日和見的なグラントマネージャ１０１０は、ｅＣＣＡコンポーネント１０１５およびスケジューリングメッセージコンポーネント１０２０を含み得る。日和見的なグラントマネージャ１０１０は、図１２を参照して説明される日和見的なグラントマネージャ１２０５の態様の例であり得る。
【００９４】
[0102]ｅＣＣＡコンポーネント１０１５は、第１のチャネルに対する第１のｅＣＣＡチェックが成功でありかつ第２のチャネルに対する第２のｅＣＣＡチェックが不成功であることを決定し得る。
【００９５】
[0103]スケジューリングメッセージコンポーネント１０２０は、この決定に基づいて、第１のチャネル上でスケジューリングメッセージを送信し、スケジューリングメッセージは、第１のチャネルおよび第２のチャネルを識別し、第２のｅＣＣＡチェックに少なくとも部分的に基づいて、第２のチャネル上でスケジューリングメッセージを送信することを控え得る。いくつかのケースでは、スケジューリングメッセージは、第１のチャネルについての第１のアップリンクグラントおよび第２のチャネルについての第２のアップリンクグラントを含む。
【００９６】
[0104]送信機１０２５は、ワイヤレスデバイス１０００の他のコンポーネントから受信される信号を送信し得る。いくつかの例では、送信機１０２５は、トランシーバモジュールにおいて受信機とコロケートされ得る。例えば、送信機１０２５は、図１２を参照して説明されるトランシーバ１２２５の態様の例であり得る。送信機１０２５は、単一のアンテナを利用し得るか、またはそれは、複数のアンテナを利用し得る。
【００９７】
[0105]図１１は、ワイヤレスデバイス９００またはワイヤレスデバイス１０００の対応するコンポーネントの例であり得る日和見的なグラントマネージャ１１００のブロック図を示す。すなわち、日和見的なグラントマネージャ１１００は、図９および図１０を参照して説明された日和見的なグラントマネージャ９１０または日和見的なグラントマネージャ１０１０の態様の例であり得る。日和見的なグラントマネージャ１１００はまた、図１２を参照して説明される日和見的なグラントマネージャ１２０５の態様の例であり得る。
【００９８】
[0106]日和見的なグラントマネージャ１１００は、ｅＣＣＡコンポーネント１１０５、スケジューリングメッセージコンポーネント１１１０およびアップリンクデータコンポーネント１１１５を含み得る。これらのモジュールの各々は、（例えば、１つまたは複数のバスを介して）互いと直接的にまたは間接的に通信し得る。
【００９９】
[0107]ｅＣＣＡコンポーネント１１０５は、第１のチャネルに対する第１のｅＣＣＡチェックが成功でありかつ第２のチャネルに対する第２のｅＣＣＡチェックが不成功であることを決定し得る。
【０１００】
[0108]スケジューリングメッセージコンポーネント１１１０は、この決定に基づいて、第１のチャネル上でスケジューリングメッセージを送信し、スケジューリングメッセージは、第１のチャネルおよび第２のチャネルを識別し、第２のｅＣＣＡチェックに少なくとも部分的に基づいて、第２のチャネル上でスケジューリングメッセージを送信することを控え得る。いくつかのケースでは、スケジューリングメッセージは、第１のチャネルについての第１のアップリンクグラントおよび第２のチャネルについての第２のアップリンクグラントを含む。
【０１０１】
[0109]アップリンクデータコンポーネント１１１５は、アップリンクデータが第１のチャネルまたは第２のチャネルまたは両方の上で送信されているかどうかを識別し、スケジューリングメッセージに少なくとも部分的に基づいて、第１のチャネルまたは第２のチャネル上でアップリンクデータを受信し得る。いくつかのケースでは、第１のアップリンクグラントの第１の変調およびコーディングスキームは、第２のアップリンクグラントの第２の変調およびコーディングスキームとは異なる。
【０１０２】
[0110]図１２は、本開示の様々な態様による、ＥＣＣのための日和見的な拡張されたチャネルアップリンクグラントをサポートする構成されたデバイスを含むワイヤレスシステム１２００の図を示す。例えば、ワイヤレスシステム１２００は、基地局１０５−ｄを含み得、それは、図１、図２および図９〜図１１を参照して説明されたようなワイヤレスデバイス９００、ワイヤレスデバイス１０００、または基地局１０５の例であり得る。基地局１０５−ｄはまた、通信を送信するためのコンポーネントと、通信を受信するためのコンポーネントとを含む、双方向の音声およびデータ通信のためのコンポーネントを含み得る。例えば、基地局１０５−ｄは、１つまたは複数のＵＥ１１５と双方向に通信し得る。基地局１０５−ｄはまた、日和見的なグラントマネージャ１２０５、プロセッサ１２１０、メモリ１２１５、トランシーバ１２２５、アンテナ１２３０、基地局通信モジュール１２３５およびネットワーク通信モジュール１２４０を含み得る。これらのモジュールの各々は、（例えば、１つまたは複数のバスを介して）互いと直接的にまたは間接的に通信し得る。日和見的なグラントマネージャ１２０５は、図９〜図１１を参照して説明されたような日和見的なグラントマネージャの例であり得る。
【０１０３】
[0111]プロセッサ１２１０は、インテリジェントハードウェアデバイス（例えば、ＣＰＵ、マイクロコントローラ、ＡＳＩＣ、等）を含み得る。メモリ１２１５は、ＲＡＭおよびＲＯＭを含み得る。メモリ１２１５は、実行されると、プロセッサに、ここで説明された様々な機能（例えば、ＥＣＣのための日和見的な拡張されたチャネルアップリンクグラント、等）を実行することを行わせる命令を含むコンピュータ可読で、コンピュータ実行可能なソフトウェアを記憶し得る。いくつかのケースでは、ソフトウェア１２２０は、プロセッサによって直接的に実行可能でないことがあり得るが、（例えば、コンパイルされ、実行されると）コンピュータに、ここで説明された機能を実行することを行わせ得る。
【０１０４】
[0112]トランシーバ１２２５は、上記で説明されたように、１つまたは複数のネットワークと、１つまたは複数のアンテナ、ワイヤードリンク、またはワイヤレスリンクを介して、双方向に通信し得る。例えば、トランシーバ１２２５は、基地局１０５またはＵＥ１１５と双方向に通信し得る。トランシーバ１２２５はまた、パケットを変調して、変調されたパケットを送信のためにアンテナに提供するためと、アンテナから受信されたパケットを復調するためのモデムを含み得る。いくつかのケースでは、ワイヤレスデバイスは、単一のアンテナ１２３０を含み得る。しかしながら、いくつかのケースでは、デバイスは、１つより多くのアンテナ８３０を有し得、それらは、複数のワイヤレス送信を同時並行に送信または受信することが可能であり得る。
【０１０５】
[0113]基地局通信モジュール１２３５は、他の基地局１０５との通信を管理し得、他の基地局１０５と連携してＵＥ１１５との通信を制御するためのコントローラまたはスケジューラを含み得る。例えば、基地局通信モジュール１２３５は、ビームフォーミングまたはジョイント送信（joint transmission）のような、様々な干渉緩和技法のために、ＵＥ１１５への送信のためのスケジューリングを調整し得る。いくつかの例では、基地局通信モジュール−９５は、基地局１０５間の通信を提供するために、ＬＴＥ／ＬＴＥ−Ａワイヤレス通信ネットワーク技術内のＸ２インターフェースを提供し得る。
【０１０６】
[0114]ネットワーク通信モジュール１２４０は、（例えば、１つまたは複数のワイヤードバックホールリンクを介して）コアネットワークとの通信を管理し得る。例えば、ネットワーク通信モジュール１２４０は、１つまたは複数のＵＥ１１５のような、クライアントデバイスのためのデータ通信の転送を管理し得る。
【０１０７】
[0115]図１３は、本開示の様々な態様による、ＥＣＣのための日和見的な拡張されたチャネルアップリンクグラントのための方法１３００を例示するフローチャートを示す。方法１３００の動作は、図１および図２を参照して説明されたように、ＵＥ１１５またはそのコンポーネントによってインプリメントされ得る。例えば、方法１３００の動作は、ここで説明されたような日和見的なグラントマネージャによって実行され得る。いくつかの例では、ＵＥ１１５は、以下で説明される機能を実行するために、デバイスの機能的な要素を制御するためのコードのセットを実行し得る。追加または代替として、ＵＥ１１５は、専用ハードウェアを使用して、以下で説明される機能の態様を実行し得る。
【０１０８】
[0116]ブロック１３０５において、ＵＥ１１５は、図２〜図４を参照して上記で説明されたように、第１のチャネル上でスケジューリングメッセージを受信し得、スケジューリングメッセージは、第１のチャネルおよび第２のチャネルを識別する。ある特定の例では、ブロック１３０５の動作は、図７を参照して説明されたように、スケジューリングメッセージコンポーネントによって実行され得る。
【０１０９】
[0117]ブロック１３１０において、ＵＥ１１５は、図２〜図４を参照して上記で説明されたように、第１のチャネル上でスケジューリングメッセージを受信することに基づいて、第１のチャネルに対して第１のチャネルクリアランスプロシージャを実行し得る。ある特定の例では、ブロック１３１０の動作は、図７を参照して説明されたように、第１のチャネルクリアランスコンポーネントによって実行され得る。
【０１１０】
[0118]ブロック１３１５において、ＵＥ１１５は、図２〜図４を参照して上記で説明されたように、スケジューリングメッセージが第２のチャネル上で受信されていないと決定することに基づいて、第２のチャネルに対して第２のチャネルクリアランスプロシージャを実行し得る。ある特定の例では、ブロック１３１５の動作は、図７を参照して説明されたように、第２のチャネルクリアランスコンポーネントによって実行され得る。
【０１１１】
[0119]図１４は、本開示の様々な態様による、ＥＣＣのための日和見的な拡張されたチャネルアップリンクグラントのための方法１４００を例示するフローチャートを示す。方法１４００の動作は、図１および図２を参照して説明されたように、ＵＥ１１５またはそのコンポーネントによってインプリメントされ得る。例えば、方法１４００の動作は、ここで説明されたような日和見的なグラントマネージャによって実行され得る。いくつかの例では、ＵＥ１１５は、以下で説明される機能を実行するために、デバイスの機能的な要素を制御するためのコードのセットを実行し得る。追加または代替として、ＵＥ１１５は、専用ハードウェアを使用して、以下で説明される機能の態様を実行し得る。
【０１１２】
[0120]ブロック１４０５において、ＵＥ１１５は、図２〜図４を参照して上記で説明されたように、第１のチャネル上でスケジューリングメッセージを受信し得、スケジューリングメッセージは、第１のチャネルおよび第２のチャネルを識別する。ある特定の例では、ブロック１４０５の動作は、図７を参照して説明されたように、スケジューリングメッセージコンポーネントによって実行され得る。
【０１１３】
[0121]ブロック１４１０において、ＵＥ１１５は、図２〜図４を参照して上記で説明されたように、第１のチャネル上でスケジューリングメッセージを受信することに基づいて、第１のチャネルに対して第１のチャネルクリアランスプロシージャを実行し得る。ある特定の例では、ブロック１４１０の動作は、図７を参照して説明されたように、第１のチャネルクリアランスコンポーネントによって実行され得る。
【０１１４】
[0122]ブロック１４１５において、ＵＥ１１５は、図２〜図４を参照して上記で説明されたように、スケジューリングメッセージが第２のチャネル上で受信されていないと決定することに基づいて、第２のチャネルに対して第２のチャネルクリアランスプロシージャを実行し得る。ある特定の例では、ブロック１４１５の動作は、図７を参照して説明されたように、第２のチャネルクリアランスコンポーネントによって実行され得る。
【０１１５】
[0123]図１５は、本開示の様々な態様による、ＥＣＣのための日和見的な拡張されたチャネルアップリンクグラントのための方法１５００を例示するフローチャートを示す。方法１５００の動作は、図１および図２を参照して説明されたように、ＵＥ１１５またはそのコンポーネントによってインプリメントされ得る。例えば、方法１５００の動作は、ここで説明されたような日和見的なグラントマネージャによって実行され得る。いくつかの例では、ＵＥ１１５は、以下で説明される機能を実行するために、デバイスの機能的な要素を制御するためのコードのセットを実行し得る。追加または代替として、ＵＥ１１５は、専用ハードウェアを使用して、以下で説明される機能の態様を実行し得る。
【０１１６】
[0124]ブロック１５０５において、ＵＥ１１５は、図２〜図４を参照して上記で説明されたように、第１のチャネル上でスケジューリングメッセージを受信し得、スケジューリングメッセージは、第１のチャネルおよび第２のチャネルを識別する。ある特定の例では、ブロック１５０５の動作は、図７を参照して説明されたように、スケジューリングメッセージコンポーネントによって実行され得る。
【０１１７】
[0125]ブロック１５１０において、ＵＥ１１５は、図２〜図４を参照して上記で説明されたように、第１のチャネル上でスケジューリングメッセージを受信することに基づいて、第１のチャネルに対して第１のチャネルクリアランスプロシージャを実行し得る。ある特定の例では、ブロック１５１０の動作は、図７を参照して説明されたように、第１のチャネルクリアランスコンポーネントによって実行され得る。
【０１１８】
[0126]ブロック１５１５において、ＵＥ１１５は、図２〜図４を参照して上記で説明されたように、スケジューリングメッセージが第２のチャネル上で受信されていないと決定することに基づいて、第２のチャネルに対して第２のチャネルクリアランスプロシージャを実行し得る。ある特定の例では、ブロック１５１５の動作は、図７を参照して説明されたように、第２のチャネルクリアランスコンポーネントによって実行され得る。
【０１１９】
[0127]図１６は、本開示の様々な態様による、ＥＣＣのための日和見的な拡張されたチャネルアップリンクグラントのための方法１６００を例示するフローチャートを示す。方法１６００の動作は、図１および図２を参照して説明されたように、基地局１０５またはそのコンポーネントによってインプリメントされ得る。例えば、方法１６００の動作は、ここで説明されたような日和見的なグラントマネージャによって実行され得る。いくつかの例では、基地局１０５は、以下で説明される機能を実行するために、デバイスの機能的な要素を制御するためのコードのセットを実行し得る。追加または代替として、基地局１０５は、専用ハードウェアを使用して、以下で説明される機能の態様を実行し得る。
【０１２０】
[0128]ブロック１６０５において、基地局１０５は、図２〜図４を参照して上記で説明されたように、第１のチャネルに対する第１のｅＣＣＡチェックが成功でありかつ第２のチャネルに対する第２のｅＣＣＡチェックが不成功であることを決定し得る。ある特定の例では、ブロック１６０５の動作は、図１１を参照して説明されたように、ｅＣＣＡコンポーネントによって実行され得る。
【０１２１】
[0129]ブロック１６１０において、基地局１０５は、図２〜図４を参照して上記で説明されたように、この決定に基づいて、第１のチャネル上でスケジューリングメッセージを送信し得、スケジューリングメッセージは、第１のチャネルおよび第２のチャネルを識別する。ある特定の例では、ブロック１６１０の動作は、図１１を参照して説明されたように、スケジューリングメッセージコンポーネントによって実行され得る。
【０１２２】
[0130]図１７は、本開示の様々な態様による、ＥＣＣのための日和見的な拡張されたチャネルアップリンクグラントのための方法１７００を例示するフローチャートを示す。方法１７００の動作は、図１および図２を参照して説明されたように、基地局１０５またはそのコンポーネントによってインプリメントされ得る。例えば、方法１７００の動作は、ここで説明されたような日和見的なグラントマネージャによって実行され得る。いくつかの例では、基地局１０５は、以下で説明される機能を実行するために、デバイスの機能的な要素を制御するためのコードのセットを実行し得る。追加または代替として、基地局１０５は、専用ハードウェアを使用して、以下で説明される機能の態様を実行し得る。
【０１２３】
[0131]ブロック１７０５において、基地局１０５は、図２〜図４を参照して上記で説明されたように、第１のチャネルに対する第１のｅＣＣＡチェックが成功でありかつ第２のチャネルに対する第２のｅＣＣＡチェックが不成功であることを決定し得る。ある特定の例では、ブロック１７０５の動作は、図１１を参照して説明されたように、ｅＣＣＡコンポーネントによって実行され得る。
【０１２４】
[0132]ブロック１７１０において、基地局１０５は、図２〜図４を参照して上記で説明されたように、この決定に基づいて、第１のチャネル上でスケジューリングメッセージを送信し得、スケジューリングメッセージは、第１のチャネルおよび第２のチャネルを識別する。ある特定の例では、ブロック１７１０の動作は、図１１を参照して説明されたように、スケジューリングメッセージコンポーネントによって実行され得る。
【０１２５】
[0133]ブロック１７１５において、基地局１０５は、図２〜図４を参照して上記で説明されたように、ＵＬデータが第１のチャネルまたは第２のチャネルまたは両方の上で送信されているかどうかを識別し得る。ある特定の例では、ブロック１７１５の動作は、図１１を参照して説明されたように、アップリンクデータコンポーネントによって実行され得る。
【０１２６】
[0134]ブロック１７２０において、基地局１０５は、図２〜図４を参照して上記で説明されたように、スケジューリングメッセージに基づいて、第１のチャネルまたは第２のチャネル上でＵＬデータを受信し得る。ある特定の例では、ブロック１７２０の動作は、図１１を参照して説明されたように、アップリンクデータコンポーネントによって実行され得る。
【０１２７】
[0135]これらの方法は、可能なインプリメンテーションを説明しており、動作およびステップは、他のインプリメンテーションが可能になるように、再構成（rearranged）または他の方法で変更され得ることに留意されたい。いくつかの例では、これら方法のうちの２つ以上からの態様が組み合わされ得る。例えば、これら方法の各々の態様は、ここで説明された他の方法のステップまたは態様、あるいは他のステップまたは技法を含み得る。したがって、本開示の態様は、ＥＣＣのための日和見的な拡張されたチャネルアップリンクグラントを提供し得る。
【０１２８】
[0136]ここでの説明は、当業者が本開示を製造または使用することを可能にするために提供される。本開示への様々な変更は、当業者には容易に明らかとなり、ここで定義した一般原理は、本開示の範囲から逸脱することなく、他の変形形態に適用され得る。したがって、本開示は、ここで説明された例および設計に限定されるべきではなく、ここで開示された原理および新規の特徴に合致する最も広い範囲を与えられることとなる。
【０１２９】
[0137]ここで説明された機能は、ハードウェア、プロセッサによって実行されるソフトウェア、ファームウェア、またはこれらの任意の組合せでインプリメントされ得る。プロセッサによって実行されるソフトウェアでインプリメントされる場合、これら機能は、コンピュータ可読媒体上で、１つまたは複数の命令またはコードとして記憶または送信され得る。他の例およびインプリメンテーションは、添付された特許請求の範囲および本開示の範囲内にある。例えば、ソフトウェアの性質により、上記で説明された機能は、プロセッサ、ハードウェア、ファームウェア、ハードワイヤリング、またはこれらの任意の組合せによって実行されるソフトウェアを使用してインプリメントされることができる。機能をインプリメントする機構（features）はまた、機能の部分が異なる物理的（ＰＨＹ）ロケーションにおいてインプリメントされるように分散されることを含めて、様々なポジションにおいて物理的に位置し得る。また、特許請求の範囲を含め、ここで使用される場合、項目の列挙（例えば、「〜のうちの少なくとも１つ（at least one of）」または「１つまたは複数の（one or more）」といった表現で始まる項目の列挙）中で使用される「または（or）」は、例えば、Ａ、Ｂ、またはＣのうちの少なくとも１つという列挙が、ＡまたはＢまたはＣまたはＡＢまたはＡＣまたはＢＣまたはＡＢＣ（すなわち、ＡおよびＢおよびＣ）を意味するような、包含的な列挙を示す。
【０１３０】
[0138]コンピュータ可読媒体は、１つの場所から別の場所へのコンピュータプログラムの転送を容易にする任意の媒体を含む通信媒体と非一時的なコンピュータ記憶媒体との両方を含む。非一時的な記憶媒体は、汎用または専用コンピュータによってアクセスされることができる任意の利用可能な媒体であり得る。限定ではなく例として、非一時的なコンピュータ可読媒体は、ＲＡＭ、ＲＯＭ、電気的消去可能プログラマブル読取専用メモリ（ＥＥＰＲＯＭ（登録商標））、コンパクトディスク（ＣＤ）ＲＯＭまたは他の光ディスク記憶装置、磁気ディスク記憶装置または他の磁気記憶デバイス、あるいは、命令またはデータ構造の形式で所望のプログラムコード手段を搬送または記憶するために使用されることができ、かつ、汎用または専用コンピュータ、または汎用または専用プロセッサによってアクセスされることができるその他任意の非一時的な媒体を備えることができる。また、任意の接続は、厳密にはコンピュータ可読媒体と称される。例えば、ソフトウェアが、同軸ケーブル、光ファイバーケーブル、ツイストペア、デジタル加入者回線（ＤＳＬ）、または赤外線、無線、およびマイクロ波のようなワイヤレス技術を使用して、ウェブサイト、サーバ、または他の遠隔ソースから送信される場合には、同軸ケーブル、光ファイバーケーブル、ツイストペア、ＤＳＬ、または赤外線、無線、およびマイクロ波のようなワイヤレス技術は、媒体の定義に含まれる。ここで使用される場合、ディスク（disk)およびディスク（disc）は、ＣＤ、レーザーディスク（登録商標）、光ディスク、デジタル多目的ディスク（ＤＶＤ）、フロッピー（登録商標）ディスクおよびブルーレイ（登録商標）ディスクを含み、ここでディスク（disks）は、通常磁気的にデータを再生し、一方ディスク（discs）は、レーザーを用いて光学的にデータを再生する。上記の組合せもまた、コンピュータ可読媒体の範囲内に含まれる。
【０１３１】
[0139]ここで説明された技法は、ＣＤＭＡ、ＴＤＭＡ、ＦＤＭＡ（ＦＤＭＡ）、ＯＦＤＭＡ（ＯＦＤＭＡ）、単一キャリア周波数分割多元接続（ＳＣ−ＦＤＭＡ）、および他のシステムのような、様々なワイヤレス通信システムのために使用され得る。「システム」および「ネットワーク」という用語は、しばしば交換可能に用いられる。ＣＤＭＡシステムは、ＣＤＭＡ２０００、ユニバーサル地上無線アクセス（ＵＴＲＡ）、等のような無線技術をインプリメントし得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００ １Ｘ、１Ｘ、等と呼ばれる。ＩＳ−８５６（ＴＩＡ−８５６）は、一般に、ＣＤＭＡ２０００ １ｘＥＶ−ＤＯ、高レートパケットデータ（ＨＲＰＤ）、等と呼ばれる。ＵＴＲＡは、広帯域ＣＤＭＡ（ＷＣＤＭＡ（登録商標））およびＣＤＭＡの他の変形を含む。ＴＤＭＡシステムは、（モバイル通信のためのグローバルシステム（ＧＳＭ）（登録商標））のような無線技術をインプリメントし得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（ワイヤレスフィデリィティ（Ｗｉ−Ｆｉ））、ＩＥＥＥ８０２．１６（ＷｉＭＡＸ）、ＩＥＥＥ８０２．２０、フラッシュ−ＯＦＤＭ、等のような無線技術をインプリメントし得る。ＵＴＲＡおよびＥ−ＵＴＲＡは、ユニバーサルモバイルテレコミュニケーションシステム（ユニバーサルモバイルテレコミュニケーションシステム（ＵＭＴＳ））の一部である。
【０１３２】
[0140]３ＧＰＰ（登録商標）ＬＴＥおよびＬＴＥ−アドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ａ、およびＧＳＭは、「第３世代パートナーシッププロジェクト」（３ＧＰＰ）という名称の団体からの文書に説明されている。ＣＤＭＡ２０００およびＵＭＢは、「第３世代パートナーシッププロジェクト２」（３ＧＰＰ２）という名称の団体からの文書に説明されている。ここで説明された技法は、上述されたシステムおよび無線技術、ならびに他のシステムおよび無線技術のために使用され得る。しかしながら、ここでの説明は、例という目的でＬＴＥシステムを説明し、本技法は、ＬＴＥアプリケーションを超えて適用可能であるが、ＬＴＥの専門用語が上記の説明の大部分において使用されている。
【０１３３】
[0141]ここで説明されたネットワークを含む、ＬＴＥ／ＬＴＥ−Ａネットワークでは、発展型ノードＢ（ｅＮＢ）という用語は、概して、基地局を説明するために使用され得る。ここで説明されたワイヤレス通信のシステムまたは複数のシステムは、異なるタイプのｅＮＢが様々な地理的な領域に対してカバレッジを提供する異種ＬＴＥ／ＬＴＥ−Ａネットワークを含み得る。例えば、各ｅＮＢまたは基地局は、マクロセル、スモールセル、または他のタイプのセルに対して通信カバレッジを提供し得る。「セル」という用語は、コンテキストに応じて、基地局、基地局に関連付けられたキャリアまたはコンポーネントキャリア（ＣＣ）、あるいはキャリアまたは基地局のカバレッジエリア（例えば、セクタ、等）を説明するために使用されることができる３ＧＰＰ用語である。
【０１３４】
[0142]基地局は、トランシーバ基地局、無線基地局、アクセスポイント（ＡＰ）、無線トランシーバ、ノードＢ、ｅノードＢ（ｅＮＢ）、ホームノードＢ、ホームｅノードＢ、または何らかの他の好適な専門用語で当業者によって呼ばれ得るか、あるいはそれらを含み得る。基地局のための地理的なカバレッジエリアは、カバレッジエリアの一部分のみを構成する複数のセクタに分割され得る。ここで説明されたワイヤレス通信のシステムまたは複数のシステムは、異なるタイプの基地局（例えば、マクロまたはスモールセル基地局）を含み得る。ここで説明されたＵＥは、マクロｅＮＢ、スモールセルｅＮＢ、中継基地局、および同様のものを含む、様々なタイプの基地局およびネットワーク機器と通信することが可能であり得る。異なる技術についての重複する地理的なカバレッジエリアが存在し得る。
【０１３５】
[0143]マクロセルは、概して、比較的大きい地理的なエリア（例えば、半径数キロメートル）をカバーし、ネットワークプロバイダにサービス加入しているＵＥによる無制限のアクセスを可能にし得る。スモールセルは、マクロセルと同じまたは異なる（例えば、ライセンス、アンライセンス、等の）周波数帯域で動作し得る、マクロセルと比較してより低い電力の基地局である。スモールセルは、様々な例に従って、ピコセル、フェムトセル、およびマイクロセルを含み得る。ピコセルは、例えば、小さい地理的なエリアをカバーし得、ネットワークプロバイダにサービス加入しているＵＥによる無制限のアクセスを可能にし得る。フェムトセルもまた、小さい地理的なエリア（例えば、自宅）をカバーし得、フェムトセルとのアソシエーションを有するＵＥ（例えば、クローズド加入者グループ（ＣＳＧ）中のＵＥ、自宅内のユーザのためのＵＥ、および同様のもの）による制限されたアクセスを提供し得る。マクロセルのためのｅＮＢは、マクロｅＮＢと呼ばれ得る。スモールセルのためのｅＮＢは、スモールセルｅＮＢ、ピコｅＮＢ、フェムトｅＮＢ、またはホームｅＮＢと呼ばれ得る。ｅＮＢは、１つまたは複数（例えば、２つ、３つ、４つ、等）のセル（例えば、ＣＣ）をサポートし得る。ＵＥは、マクロｅＮＢ、スモールセルｅＮＢ、中継基地局、および同様のものを含む様々なタイプの基地局およびネットワーク機器と通信することが可能であり得る。
【０１３６】
[0144]ここで説明されたワイヤレス通信のシステムまたは複数のシステムは、同期動作または非同期動作をサポートし得る。同期動作の場合、複数の基地局は、同様のフレームタイミングを有し得、異なる基地局からの送信は、ほぼ時間的に揃えられ得る。非同期動作の場合、複数の基地局は、異なるフレームタイミングを有し得、異なる基地局からの送信は、時間的に揃えられていないことがあり得る。ここで説明された技法は、同期動作または非同期動作のいずれかのために使用され得る。
【０１３７】
[0145]ここで説明されたＤＬ送信はまた、順方向リンク送信と呼ばれ得、一方、ＵＬ送信はまた、逆方向リンク送信と呼ばれ得る。例えば、図１および図２のワイヤレス通信システム１００および２００を含む、ここで説明された各通信リンクは、１つまたは複数のキャリアを含み得、ここで、各キャリアは、複数のサブキャリア（例えば、異なる周波数の波形信号）から成る信号であり得る。各変調された信号は、異なるサブキャリア上で送られ得、制御情報（例えば、基準信号、制御チャネル、等）、オーバヘッド情報、ユーザデータ、等を搬送し得る。ここで説明された通信リンク（例えば、図１の通信リンク１２５）は、（例えば、対のスペクトルリソースを使用する）周波数分割複信（ＦＤＤ）または（例えば、対になっていないスペクトルリソースを使用する）ＴＤＤ動作を使用して、双方向通信を送信し得る。フレーム構造が、ＦＤＤ（例えば、フレーム構造タイプ１）およびＴＤＤ（例えば、フレーム構造タイプ２）のために定義され得る。
【０１３８】
[0146]したがって、本開示の態様は、ＥＣＣのための日和見的な拡張されたチャネルアップリンクグラントを提供し得る。これらの方法は、可能なインプリメンテーションを説明しており、動作およびステップは、他のインプリメンテーションが可能になるように、再構成または他の方法で変更され得ることに留意されたい。いくつかの例では、これら方法のうちの２つ以上からの態様が組み合わされ得る。
【０１３９】
[0147]ここでの開示に関連して説明された、様々な例示的なブロックおよびモジュールは、汎用プロセッサ、デジタルシグナルプロセッサ（ＤＳＰ）、ＡＳＩＣ、フィールドプログラマブルゲートアレイ（ＦＰＧＡ）または他のプログラマブル論理デバイス、個別ゲートまたはトランジスタロジック、個別ハードウェアコンポーネント、あるいはここで説明された機能を実行するように設計されたこれらの任意の組合せを用いてインプリメントまたは実行され得る。汎用プロセッサは、マイクロプロセッサであり得るが、代替として、このプロセッサは、任意の従来のプロセッサ、コントローラ、マイクロコントローラ、またはステートマシン（state machine）であり得る。プロセッサはまた、コンピューティングデバイスの組合せ（例えば、ＤＳＰとマイクロプロセッサの組合せ、複数のマイクロプロセッサ、ＤＳＰコアと連携した１つまたは複数のマイクロプロセッサ、あるいはその他任意のそのような構成）としてインプリメントされ得る。したがって、ここで説明された機能は、少なくとも１つの集積回路（ＩＣ）上で、１つまたは複数の他の処理ユニット（またはコア）によって実行され得る。様々な例では、異なるタイプのＩＣ（例えば、構造化／プラットフォームＡＳＩＣ、ＦＰＧＡ、または別のセミカスタムＩＣ）が使用され得、これらは、当該技術分野で知られている任意の方法でプログラムされ得る。各ユニットの機能はまた、１つまたは複数の汎用または特定用途向けプロセッサによって実行されるようにフォーマットされた、メモリにおいて具現化された命令で、全体的にまたは部分的にインプリメントされ得る。
【０１４０】
[0148]添付された図面では、同様のコンポーネントまたは特徴は、同じ参照ラベルを有し得る。さらに、同じタイプの様々なコンポーネントは、参照ラベルの後に、ダッシュと、同様の構コンポーネント同士を区別する第２のラベルとを続けることによって区別され得る。第１の参照ラベルのみが本明細書において使用される場合、その説明は、第２の参照ラベルにかかわらず、同じ第１の参照ラベルを有する同様のコンポーネントのうちの任意の１つに適用可能である。
【図１】
2018535586.tif 000003
【図２】
2018535586.tif 000004
【図３Ａ】
2018535586.tif 000005
【図３Ｂ】
2018535586.tif 000006
【図３Ｃ】
2018535586.tif 000007
【図４】
2018535586.tif 000008
【図５】
2018535586.tif 000009
【図６】
2018535586.tif 000010
【図７】
2018535586.tif 000011
【図８】
2018535586.tif 000012
【図９】
2018535586.tif 000013
【図１０】
2018535586.tif 000014
【図１１】
2018535586.tif 000015
【図１２】
2018535586.tif 000016
【図１３】
2018535586.tif 000017
【図１４】
2018535586.tif 000018
【図１５】
2018535586.tif 000019
【図１６】
2018535586.tif 000020
【図１７】
2018535586.tif 000021
【国際調査報告】
2018535586.tif 000022
2018535586.tif 000023